【手続補正書】
【提出日】平成16年6月8日(2004.6.8)
【手続補正１】
【補正対象書類名】特許請求の範囲
【補正対象項目名】請求項１
【補正方法】変更
【補正の内容】
【請求項１】
クレジットカードによる後払い形式の決済方法を用いて債権の決済を行う債権決済システムであって、前記債権決済システムは、店舗側システムと、少なくとも一以上の前記店舗側システムとデータの送受信が可能なセンター側システムとを有しており、
前記店舗側システムは、
会員のクレジットカードのデータを読み取り、読み取ったデータを前記センター側システムに送信するカード読取手段と、
請求額、納付期限、納付者識別情報、請求の種類、のうちいずれか一以上を含む請求情報の入力を受け付ける請求情報受付手段と、
前記請求情報を前記センター側システムに送信する請求情報送信手段と、からなり、
前記センター側システムは、
前記カード読取手段から受信したクレジットカードのデータに基づいて、前記会員がクレジットカード決済が可能であるか否かの照会を、クレジットカード会社が有するクレジットカード会社システムに送信する与信照会手段と、
前記請求情報送信手段から請求情報を受信する請求情報受信手段と、
前記受信した請求情報のうち一部又は全部を、クレジットカードによる売上データとして、前記クレジットカード会社システムに送信する売上データ送信手段と、
前記受信した請求情報のうち一部又は全部を、前記債権者が有する債権者システムに送信する収納データ送信手段と、
前記債権者の債務者たる会員に対する請求額の立替代金を前記クレジットカード会社が、前記債権者から収納委託を受託した受託者に対して支払った旨を、金融機関が有する金融機関システム及び／又は前記クレジットカード会社システムから受信する立替代金受領手段と、
前記受託者が受領した立替代金を収納代金として債権者に支払う旨を前記金融機関システムに送信する収納代金支払手段と、からなる
ことを特徴とする債権決済システム。
【手続補正２】
【補正対象書類名】特許請求の範囲
【補正対象項目名】請求項４
【補正方法】変更
【補正の内容】
【請求項４】
前記収納代金支払手段は、
前記受託者口座から債権者が前記金融機関に有する債権者口座に、前記受託者が受領した立替代金を収納代金として支払う旨を前記金融機関システムに送信する
ことを特徴とする請求項１から請求項３のいずれかに記載の債権決済システム。
【手続補正３】
【補正対象書類名】特許請求の範囲
【補正対象項目名】請求項７
【補正方法】変更
【補正の内容】
【請求項７】
クレジットカードによる後払い形式で債権の決済を受け付ける少なくとも一以上の店舗側システムとの間でデータの送受信が可能なセンター側システムであって、
前記センター側システムは、
前記店舗側システムから受信したクレジットカードのデータに基づいて、前記会員がクレジットカード決済が可能であるか否かの照会を、クレジットカード会社が有するクレジットカード会社システムに送信する与信照会手段と、
請求額、納付期限、納付者識別情報、請求の種類、のうちいずれか一以上を含む請求情報を前記店舗側システムから受信する請求情報受信手段と、
前記受信した請求情報のうち一部又は全部を、クレジットカードによる売上データとして、前記クレジットカード会社システムに送信する売上データ送信手段と、
前記受信した請求情報のうち一部又は全部を、前記債権者が有する債権者システムに送信する収納データ送信手段と、
前記債権者の債務者たる会員に対する請求額の立替代金を前記クレジットカード会社が、前記債権者から収納委託を受託した受託者に対して支払った旨を、金融機関が有する金融機関システム及び／又は前記クレジットカード会社システムから受信する立替代金受領手段と、
前記受託者が受領した立替代金を収納代金として債権者に支払う旨を前記金融機関システムに送信する収納代金支払手段と
を有することを特徴とするセンター側システム。
【手続補正４】
【補正対象書類名】特許請求の範囲
【補正対象項目名】請求項９
【補正方法】変更
【補正の内容】
【請求項９】
前記収納代金支払手段は、
前記受託者口座から債権者が前記金融機関に有する債権者口座に、前記受託者が受領した立替代金を収納代金として支払う旨を前記金融機関システムに送信する
ことを特徴とする請求項７又は請求項８のいずれかに記載のセンター側システム。
【手続補正５】
【補正対象書類名】明細書
【補正対象項目名】０００７
【補正方法】変更
【補正の内容】
【０００７】
請求項１の発明は、
クレジットカードによる後払い形式の決済方法を用いて債権の決済を行う債権決済システムであって、前記債権決済システムは、店舗側システムと、少なくとも一以上の前記店舗側システムとデータの送受信が可能なセンター側システムとを有しており、前記店舗側システムは、会員のクレジットカードのデータを読み取り、読み取ったデータを前記センター側システムに送信するカード読取手段と、請求額、納付期限、納付者識別情報、請求の種類、のうちいずれか一以上を含む請求情報の入力を受け付ける請求情報受付手段と、前記請求情報を前記センター側システムに送信する請求情報送信手段と、からなり、前記センター側システムは、前記カード読取手段から受信したクレジットカードのデータに基づいて、前記会員がクレジットカード決済が可能であるか否かの照会を、クレジットカード会社が有するクレジットカード会社システムに送信する与信照会手段と、前記請求情報送信手段から請求情報を受信する請求情報受信手段と、前記受信した請求情報のうち一部又は全部を、クレジットカードによる売上データとして、前記クレジットカード会社システムに送信する売上データ送信手段と、前記受信した請求情報のうち一部又は全部を、前記債権者が有する債権者システムに送信する収納データ送信手段と、前記債権者の債務者たる会員に対する請求額の立替代金を前記クレジットカード会社が、前記債権者から収納委託を受託した受託者に対して支払った旨を、金融機関が有する金融機関システム及び／又は前記クレジットカード会社システムから受信する立替代金受領手段と、前記受託者が受領した立替代金を収納代金として債権者に支払う旨を前記金融機関システムに送信する収納代金支払手段と、からなる債権決済システムである。
【手続補正６】
【補正対象書類名】明細書
【補正対象項目名】０００９
【補正方法】変更
【補正の内容】
【０００９】
請求項４の発明は、
前記収納代金支払手段は、前記受託者口座から債権者が前記金融機関に有する債権者口座に、前記受託者が受領した立替代金を収納代金として支払う旨を前記金融機関システムに送信する債権決済システムである。
【手続補正７】
【補正対象書類名】明細書
【補正対象項目名】００１０
【補正方法】変更
【補正の内容】
【００１０】
請求項７の発明は、
クレジットカードによる後払い形式で債権の決済を受け付ける少なくとも一以上の店舗側システムとの間でデータの送受信が可能なセンター側システムであって、前記センター側システムは、前記店舗側システムから受信したクレジットカードのデータに基づいて、前記会員がクレジットカード決済が可能であるか否かの照会を、クレジットカード会社が有するクレジットカード会社システムに送信する与信照会手段と、請求額、納付期限、納付者識別情報、請求の種類、のうちいずれか一以上を含む請求情報を前記店舗側システムから受信する請求情報受信手段と、前記受信した請求情報のうち一部又は全部を、クレジットカードによる売上データとして、前記クレジットカード会社システムに送信する売上データ送信手段と、前記受信した請求情報のうち一部又は全部を、前記債権者が有する債権者システムに送信する収納データ送信手段と、前記債権者の債務者たる会員に対する請求額の立替代金を前記クレジットカード会社が、前記債権者から収納委託を受託した受託者に対して支払った旨を、金融機関が有する金融機関システム及び／又は前記クレジットカード会社システムから受信する立替代金受領手段と、前記受託者が受領した立替代金を収納代金として債権者に支払う旨を前記金融機関システムに送信する収納代金支払手段とを有するセンター側システムである。
【手続補正８】
【補正対象書類名】明細書
【補正対象項目名】００１２
【補正方法】変更
【補正の内容】
【００１２】
請求項９の発明は、
前記収納代金支払手段は、前記受託者口座から債権者が前記金融機関に有する債権者口座に、前記受託者が受領した立替代金を収納代金として支払う旨を前記金融機関システムに送信するセンター側システムである。